(57)【要約】      （修正有）【課題】筐体内部の防水性を確保する。【解決手段】パネル型スピーカー用エキサイタ及びパネル型レシーバ用エキサイタの取付構造は、スピーカーもしくはレシーバの振動板であるパネルが弾性を有するサスペンションを介して筐体に支持されており、機器の筐体もしくはサブフレームと前記パネルとの隙間を防水性フィルム等の薄膜を用いて封止して前記機器の内部を防水領域とし、前記サスペンション及び前記エキサイタを該防水領域に収納した。また前記防水性フィルム等の薄膜上に、該フィルムを保護する筐体もしくは前記パネルを設けた。さらに、該保護する筐体を前記機器の筐体とは別に設けられたサブフレームとした。さらにまた、前記サスペンションの弾性材料を挟む基材である締結部材を前記防水性フィルム等の薄膜と兼用した。【選択図】図１
2007027923.tif 000002
【特許請求の範囲】
【請求項１】
パネル型スピーカー用エキサイタ及びパネル型レシーバ用エキサイタの振動板であるパネルが弾性を有するサスペンションを介して筐体に支持されているパネル型スピーカー用エキサイタ及びパネル型レシーバ用エキサイタの取付構造において、
機器の前記筐体もしくはサブフレームと前記パネルとの隙間を防水性フィルム等の薄膜を用いて封止して前記機器の内部を防水領域とし、前記サスペンション及び前記エキサイタを該防水領域に収納したことたことを特徴とするパネル型スピーカー用エキサイタ及びパネル型レシーバ用エキサイタの取付構造。
【請求項２】
前記防水性フィルム等の薄膜上に、該フィルム等の薄膜を保護する筐体もしくは前記パネルを設けたことを特徴とする請求項１記載のパネル型スピーカー用エキサイタ及びパネル型レシーバ用エキサイタの取付構造。
【請求項３】
前記サスペンションの弾性材料を挟む基材である締結部材を前記防水性フィルム等の薄膜と兼用したことを特徴とする請求項１もしくは２記載のパネル型スピーカー用エキサイタ及びパネル型レシーバ用エキサイタの取付構造。
【請求項４】
前記サスペンションは連続発泡体を弾性材料として用いていることを特徴とする請求項１〜３のうちの少なくとも一項に記載のパネル型スピーカー用エキサイタ及びパネル型レシーバ用エキサイタの取付構造。
【請求項５】
前記防水性フィルム等の薄膜を保護する筐体は、前記機器の筐体とは別に設けられたサブフレームであることを特徴とする請求項２〜５のうちの少なくとも一項に記載のパネル型スピーカー用エキサイタ及びパネル型レシーバ用エキサイタの取付構造。
【発明の詳細な説明】
【技術分野】
【０００１】
本発明は、パネル型スピーカー用エキサイタもしくはパネル型レシーバ用エキサイタの取付構造、特に携帯電話のような小型携帯機器における防水取付構造に関する。
【背景技術】
【０００２】
近来携帯電話のような小型携帯機器においては、液晶装置のような表示装置の保護用に設けられた透明なパネルをスピーカーもしくはレシーバーの振動板であるパネルとして用いるパネル型スピーカーもしくはパネル型レシーバが多く用いられてきている。このようなパネル型スピーカーもしくはパネル型レシーバを用いた機器に関しては衝撃対策に焦点が当てられていた。衝撃によるエキサイター（アクチュエーターと同意）の破壊を避けるため、圧電振動板の両板面に衝撃吸収材を配設するというような提案が成されている（例えば特許文献１参照）。
【０００３】
しかしパネル型スピーカーもしくはパネル型レシーバを用いた機器においては、このような衝撃問題の他に、エキサイターの取付構造によっては音圧の大きさと防水性の両特性を満足することが困難であるという問題があった。
この問題を図５，６を用いて説明する。
図５はパネル型スピーカーもしくはパネル型レシーバを用いた携帯電話の図で、図５（ａ）はパネル型スピーカーもしくはパネル型レシーバを用いた携帯電話３０の平面図で、筐体１８の表面にパネル型スピーカーもしくはパネル型レシーバの振動板を兼ねるパネル２０が設けられている。該パネル２０は例えばアクリル材のような透明な材料から成り、パネル後部に設けられた液晶表示装置３２を透視出来るようになっており、エキサイター２２は液晶表示装置３２と同様にパネル後部の液晶表示装置３２上方に取り付けられている。
【０００４】
図５（ｂ）は図５（ａ）のＡ−Ａ’断面図で、パネル２０は支持部材であるサスペンション３６で筐体１８に支持され、液晶表示装置３２はウレタンフォーム等のガスケット３４でパネル２０に支持されている。さらにパネル２０にはエキサイター２２が取付けられてパネル２０を振動させ音を発生させている。
問題となるのはサスペンション３６である。この問題を図５（ｂ）のＢ部拡大図の従来例である図６を用いて説明する。
なお以下の図において、同様の部材には同様の番号を付している。
【０００５】
図６においてサスペンション３６は連続発泡体２６と該連続発泡体２６を挟んでいるＰＥＴ等の基材２４とアクリル系等の粘着材１２，１６とから成っている。
サスペンション３６を独立発泡体やシリコンゴムのような比較的硬い材料で構成すると、パネル２０が筐体１８に剛支持されてしまい、パネル２０の振動を阻害して音圧が下がってしまう。すなわち腕時計の防水構造で用いられているような、ゴムのリングをサスペンションに用いて防水構造を実現しようとすると、音圧が下がってしまってスピーカー機能が損なわれてしまう。そこでサスペンション３６をパネル２０の振動を阻害しない連続発泡体のような柔らかい材料にすることが望ましい。
ところが連続発泡体は一連の気泡が連なった構造となっているため、気泡を通じて水分が進入してしまい、防水性を持ち合わせた構造となっていない。そのため図６に線２８で示した水分は、筐体１８とパネル２０の隙間から連続発泡体２６を通過して筐体内部に入り込んでしまう。
サスペンション３６側面を通して進入した水分は内部液晶画面やパネルに水滴や曇りを引き起こす原因となり、またエキサイター等の他の電子部品に悪影響を及ぼす可能性がある。
このように従来のパネル型スピーカー用エキサイタ及びパネル型レシーバ用エキサイタの取付構造では音圧を大きくしようとすると機器の防水性が保てないという問題があった。
【０００６】
【特許文献１】特開２００４−１０４３２７
【発明の開示】
【発明が解決しようとする課題】
【０００７】
解決しようとする問題点は、パネル型スピーカー及びパネル型レシーバを用いた機器において、音圧を大きくしようとすると機器の防水性が保てなかったという点である。
【課題を解決するための手段】
【０００８】
本発明のパネル型スピーカー用エキサイタ及びパネル型レシーバ用エキサイタの取付構造は、スピーカーもしくはレシーバの振動板であるパネルが弾性を有するサスペンションを介して筐体に支持されており、機器の前記筐体もしくはサブフレームと前記パネルとの隙間を防水性フィルム等の薄膜を用いて封止して前記機器の内部を防水領域とし、前記サスペンション及び前記エキサイタを該防水領域に収納したことたことを特徴とする。
【０００９】
また本発明のパネル型スピーカー用エキサイタ及びパネル型レシーバ用エキサイタの取付構造は、前記防水性フィルム等の薄膜上に、該フィルムを保護する筐体もしくは前記パネルを設けたことを特徴とする。
【００１０】
また本発明のパネル型スピーカー用エキサイタ及びパネル型レシーバ用エキサイタの取付構造は、前記サスペンションの弾性材料を挟む基材である締結部材を前記防水性フィルム等の薄膜と兼用したことを特徴とする。
【００１１】
また本発明のパネル型スピーカー用エキサイタ及びパネル型レシーバ用エキサイタの取付構造は、前記サスペンションに連続発泡体を弾性材料として用いていることを特徴とする。
【００１２】
また本発明のパネル型スピーカー用エキサイタ及びパネル型レシーバ用エキサイタの取付構造は、前記防水性フィルム等の薄膜を保護する筐体が、前記機器の筐体とは別に設けられたサブフレームであることを特徴とする。
【発明の効果】
【００１３】
本発明によれば、パネルの支持自体は従来の連続発泡体等の柔らかい材料によるので音響特性の劣化なく、かつ筐体とパネル間に配したフィルム材または基材により、筐体内部の防水性を確保することが出来る。
また、防水性フィルム材または基材を筐体もしくはパネルで保護して、機器の表面に露出しない構造とすることにより、該防水性フィルム材または基材の機械的損傷を防ぐことが出来る。
さらに、連続発泡材料の上下にアクリル系の接着剤を塗布するため取り付けられているＰＥＴ系基材による締結部材の部分を防水用として配置するため安価に防水構造のパネル型スピーカー用エキサイタ及びパネル型レシーバ用エキサイタの取付構造が実現出来る。
【発明を実施するための最良の形態】
【００１４】
本発明のパネル型スピーカー用エキサイタ及びパネル型レシーバ用エキサイタの取付構造は、スピーカーもしくはレシーバの振動板であるパネルが弾性を有するサスペンションを介して筐体に支持されており、機器の筐体もしくはサブフレームと前記パネルとの隙間を防水性フィルム等の薄膜を用いて封止して前記機器の内部を防水領域とし、前記サスペンション及び前記エキサイタを該防水領域に収納した。また前記防水性フィルム等の薄膜上に、該フィルムを保護する筐体もしくは前記パネルを設けた。さらに、該保護する筐体を前記機器の筐体とは別に設けられたサブフレームとした。さらにまた、前記サスペンションの弾性材料を挟む基材である締結部材を前記防水性フィルム等の薄膜と兼用した。
【実施例１】
【００１５】
図１は本発明によるパネル型スピーカー用エキサイタ及びパネル型レシーバ用エキサイタの取付構造の第１の実施例の部分断面図であり、 図１は図６と同様、図５に示したパネル型スピーカーもしくはパネル型レシーバを用いた携帯電話のＢ部の拡大図である。  
図１において、パネル２０は、連続発泡体２６と該連続発泡体２６を挟んでいるＰＥＴ等の基材２４とアクリル系等の粘着材１６とから成っているサスペンション３６によって筐体１８に支持されている。ここでＰＥＴ等の基材２４が締結部材である。パネル２０にはエキサイター２２が貼り付けられてパネル２０を振動させ音を発生させている。さらに、機器の筐体１８とパネル２０との隙間は、両面に粘着材１２，１５が設けられた防水性フィルム等の薄膜１４によって封止されている。この防水性フィルム等の薄膜１４はパネル２０の４辺すべてを覆うように設けられている。
また防水性フィルム等の薄膜１４上には該フィルムを保護するため、パネル２０が張りだして防水性フィルム等の薄膜１４上（図１の左方）を覆っており、該防水性フィルム等の薄膜１４の機械的損傷を防いでいる。
【００１６】
このように本発明の取付構造においては機器の筐体１８とパネル２０との隙間が防水性フィルム等の薄膜１４によって封止されて機器の筐体１８内部は防水領域となっており、サスペンション及びエキサイタ２２を該防水領域に収納されている。そのため図１に線２８で示した水分は、機器の筐体１８とパネル２０の隙間から進入しようとするが防水性フィルム等の薄膜１４で阻まれて筐体１８の内部に進入することはなく、防水構造が実現出来ている。
一方パネル２０は従来と同様に連続発泡体２６を弾性材料として用いているためスピーカー及びレシーバとしての音圧が小さくなることはない。
なお、エキサイタを使用した携帯用のパネル型スピーカでは、電気的な処理を行うことにより同一構造でパネル型レシーバにも適応できることは周知であり、本明細書で説明するエキサイタはパネル型スピーカにもパネル型レシーバにも適応できるものであることを前提としている。
また、このように構成すると防水性フィルム等の薄膜１４が外部に対して露出する可能性があるが、パネル２０をサスペンションの位置よりも張りださせることで防水性フィルム等の薄膜１４上を覆って機械的損傷から保護している。
なお、防水性フィルム等の薄膜１４は防水性を有していれば良く、ＰＩ，ＰＥＴ，ＰＣ等の一般的な材料に限定されるものではない。
【実施例２】
【００１７】
図２は本発明によるパネル型スピーカー用エキサイタ及びパネル型レシーバ用エキサイタの取付構造の第２の実施例の部分断面図であり、図２は図６と同様、図５に示したパネル型スピーカーもしくはパネル型レシーバを用いた携帯電話のＢ部の拡大図である。
図２が図１と異なるのは、防水性フィルム等の薄膜１４の機械的な保護が機器の筐体１８がパネル２０と重なる方向へ張りだすことで成されている点と、パネル２０がサスペンション３６によってサブフレーム４０に支持されている点である。
ここで、一般に機器の筐体は複数の筐体部品によって構成されており、本発明で「サブフレーム」と呼ぶ部品は「機器の筐体」とは別個に製造されるが、この「サブフレーム」も「筐体」と表現しても問題はない。本明細書においては筐体製造の際の型抜きや組み込み性の問題から「サブフレーム」と「筐体」とを異なる表現を用いて表している。
図２の第２の実施例においては、サブフレーム４０にパネル２０を支持したため機器の筐体１８の型抜きが容易となり、また機器の組み込み性が良いという効果がある。
【実施例３】
【００１８】
図３は本発明によるパネル型スピーカー用エキサイタ及びパネル型レシーバ用エキサイタの取付構造の第３の実施例の部分断面図であり、図３は図６と同様、図５に示したパネル型スピーカーもしくはパネル型レシーバを用いた携帯電話のＢ部の拡大図である。
図３が図１と異なるのは、防水性フィルム等の薄膜１４の機械的な保護が、パネル２０と重なる方向へ張り出した、機器の筐体とは別に設けられたサブフレーム４２を設けることで成されている点である。
図３の第３の実施例においても、サブフレーム４２で防水性フィルム等の薄膜１４を保護したため、機器の筐体１８の型抜きが容易となり、また機器の組み込み性が良いという実施例２と同様の効果がある。
【実施例４】
【００１９】
図４は本発明によるパネル型スピーカー用エキサイタ及びパネル型レシーバ用エキサイタの取付構造の第４の実施例の部分断面図であり、図４は図６と同様、図５に示したパネル型スピーカーもしくはパネル型レシーバを用いた携帯電話のＢ部の拡大図である。
図４は図２と類似しているが、異なる点は、幅の広いサスペンション３６が用いられ、該サスペンション３６の弾性材料を挟む基材である締結部材２４が防水性フィルム等の薄膜の役目を兼用している点である。
図４の第４の実施例においては締結部材２４に防水性のフィルムもしくは基材を用いることにより、防水性フィルム等の薄膜を省くことが可能となっており、従来とほぼ同じ工程で、従来の特性を損なうことなく、安価に防水性を実現出来ている。
また、機器の筐体１８の型抜きが容易であり、また機器の組み込み性が良いという効果も同様である。
【００２０】
以上説明したように本発明のパネル型スピーカー用エキサイタ及びパネル型レシーバ用エキサイタの取付構造によれば、音響特性の劣化なくかつ筐体内部の防水性を確保することが出来る。また、防水性フィルム材または基材の機械的損傷を防ぐことが出来る。さらに、連続発泡材料の締結部材を防水用として配置したため安価に防水構造が実現出来る。
さらにまた、サブフレームを用いたため、機器の筐体１８の型抜きが容易で機器の組み込み性が良いという効果も生じている。
【図面の簡単な説明】
【００２１】
【図１】本発明によるパネル型スピーカー用エキサイタ及びパネル型レシーバ用エキサイタの取付構造の第１の実施例の部分断面図である。
【図２】本発明によるパネル型スピーカー用エキサイタ及びパネル型レシーバ用エキサイタの取付構造の第２の実施例の部分断面図である。
【図３】本発明によるパネル型スピーカー用エキサイタ及びパネル型レシーバ用エキサイタの取付構造の第３の実施例の部分断面図である。
【図４】本発明によるパネル型スピーカー用エキサイタ及びパネル型レシーバ用エキサイタの取付構造の第４の実施例の部分断面図である。
【図５】パネル型スピーカーもしくはパネル型レシーバを用いた携帯電話の図である。
【図６】図５（ｂ）のＢ部拡大図の従来例である。
【符号の説明】
【００２２】
３０  パネル型スピーカーもしくはパネル型レシーバを用いた機器
２０  パネル
３６  サスペンション
１８  筐体
１４  防水性フィルム等の薄膜
２４  締結部材
２６  連続発泡体
４０，４２，４４  サブフレーム
２２  エキサイター
【図１】
2007027923.tif 000003
【図２】
2007027923.tif 000004
【図３】
2007027923.tif 000005
【図４】
2007027923.tif 000006
【図５】
2007027923.tif 000007
【図６】
2007027923.tif 000008